【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
加熱可能なフィラメントまたは電極（１）を有し、前記フィラメントまたは電極（１）がバルブまたはチューブ（２）内に配置されており、前記バルブまたはチューブ（２）が内面（３）と外面（４）とを有している光源において、
作用物質（７）が、前記内面（３）から汚染物および／または堆積物（８）を除去するために、前記バルブまたはチューブ（２）内に収容されていることを特徴とする光源。
【請求項２】
前記作用物質（７）が、前記内面（３）上で移動可能であることを特徴とする請求項１に記載の光源。
【請求項３】
前記作用物質（７）が、固形体を含んでいることを特徴とする請求項１または請求項２に記載の光源。
【請求項４】
前記作用物質（７）が、研磨剤であることを特徴とする請求項１から請求項３のいずれか１項に記載の光源。
【請求項５】
前記作用物質（７）が、粉末または顆粒を含んでいることを特徴とする請求項１から請求項４のいずれか１項に記載の光源。
【請求項６】
前記作用物質（７）が、スクラップ、チップまたはウールを含んでいることを特徴とする請求項１から請求項５のいずれか１項に記載の光源。
【請求項７】
前記作用物質（７）が、溶剤を含んでいることを特徴とする請求項１から請求項６のいずれか１項に記載の光源。
【請求項８】
前記作用物質（７）が、常磁性であることを特徴とする請求項１から請求項７のいずれか１項に記載の光源。
【請求項９】
磁石（９）が、前記バルブまたはチューブ（２）の外面（４）に設けられていることを特徴とする請求項１から請求項８のいずれか１項に記載の光源。
【請求項１０】
前記磁石（９）のための磁石用ガイドが、前記バルブまたはチューブ（２）に設けられていることを特徴とする請求項９に記載の光源。
【請求項１１】
前記作用物質（７）が、前記汚染物および／または堆積物（８）と少なくとも部分的に化学的および／または物理的に結合するように形成されていることを特徴とする請求項１から請求項１０のいずれか１項に記載の光源。
【請求項１２】
前記作用物質（７）が、塗料を含んでいることを特徴とする請求項１から請求項１１のいずれか１項に記載の光源。
【請求項１３】
前記塗料が、化学的にほぼ不活性であることを特徴とする請求項１２に記載の光源。
【請求項１４】
前記塗料が、耐熱性であることを特徴とする請求項１２または請求項１３に記載の光源。
【請求項１５】
前記塗料が、低い蒸気圧を有していることを特徴とする請求項１２から請求項１４のいずれか１項に記載の光源。
【請求項１６】
前記塗料が、セラミックを含んでいることを特徴とする請求項１２から請求項１５のいずれか１項に記載の光源。
【請求項１７】
前記塗料が、金属を含んでいることを特徴とする請求項１２から請求項１６のいずれか１項に記載の光源。
【請求項１８】
前記作用物質（７）および／または前記汚染物および／または堆積物（８）が、前記バルブまたはチューブ（２）の蓄積領域（１０）内に溜められることを特徴とする請求項１から請求項１７のいずれか１項に記載の光源。
【請求項１９】
前記蓄積領域（１０）が、前記光源の駆動中でも比較的冷たい領域であることを特徴とする請求項１８に記載の光源。
【請求項２０】
前記作用物質（７）および／または前記汚染物および／または堆積物（８）を固定するための装置が、前記蓄積領域（１０）に設けられていることを特徴とする請求項１８または請求項１９に記載の光源。
【請求項２１】
前記固定するための装置が、磁石または接着剤を含んでいることを特徴とする請求項２０に記載の光源。
【手続補正２】
【補正対象書類名】明細書
【補正対象項目名】全文
【補正方法】変更
【補正の内容】
【発明の詳細な説明】
【発明の名称】光源
【技術分野】
【０００１】
本発明は、加熱可能なフィラメントまたは電極を有し、フィラメントまたは電極がバルブまたはチューブ内に配置されており、バルブまたはチューブは、内面と外面とを有している光源に関するものである。
【背景技術】
【０００２】
話題となっている種類の光源は、従前から知られており、様々な実施形態で存在している。その場合に、特に、白熱電球、ハロゲン電球および低電圧または高電圧仕様の放電ランプ並びに電子的な発光ダイオードが知られている。光源は、たとえば、蛍光管における熱電子放出、ガスの衝突励起あるいは、発光作用に基づいている。
【０００３】
たとえば、白熱電球として形成された光源においては、バルブ内に加熱可能なフィラメントが配置されており、そのフィラメントは、光放出のために高い温度に加熱される。
この高い温度において、しばしば、バルブ内に存在するガス雰囲気とフィラメントとの間に化学的反応プロセスが発生する。
さらに、それぞれ加熱温度に応じて、フィラメント材料の蒸発が可能である。
これらの化学的反応プロセスは、突然、短時間および激しく発生し、結果的にバルブの内面に物質の堆積物が生じる可能性があって、その堆積物がフィラメントから放出された光がバルブを通過するのを妨げ、あるいは完全に阻止する。たとえば、炭化タンタルフィラメントが使用される場合に、バルブの内面に炭素の堆積物が発生する。
【０００４】
バルブの内面の上述した堆積物と汚染物は、光源の寿命全体を制限する。
というのは、堆積量がある程度大きい場合に、発生される光がバルブを通過することが著しく低減されて、光源により発生される光量がもはや所望の適用のために十分ではなくなるからである。
その場合、光源は、必要な光出力を保証する新しい光源と取り替えられなければならない。このような光源の交換は、コストを伴い、かつ、環境負荷をもたらす。
【発明の開示】
【発明が解決しようとする課題】
【０００５】
従って、本発明の課題は、構造的に簡単な手段で光源の寿命が延長可能である、冒頭で挙げた種類の光源を提供することである。
【発明を解決するための手段】
【０００６】
本発明によれば、上述したような課題は、特許請求の範囲における請求項１の特徴を有する光源によって解決される。
それによれば、冒頭で挙げた種類の光源は、バルブまたはチューブ内に、内面から汚染物および／または堆積物を除去するための作用物質が収容されるように形成されている。
【０００７】
本発明に基づく方法において、バルブの内面の汚染物および／または堆積物によってバルブを通しての光の透過が減少された場合に光源を交換して捨てることは、必ずしも必要でないことが認識された。
本発明に基づく課題を簡単に解決するために、バルブまたはチューブ内にその内面から汚染物および／または堆積物を除去する作用物質が収容されている。このような作用物質によって、バルブまたはチューブの内側からその内面の汚染物および／または堆積物を除去することが可能であって、その結果、その光源を再び良好な透過で駆動することができる。従って、光源の交換が回避される。
【０００８】
従って、本発明に基づく光源によって、構造的に簡単な手段で寿命が延長された光源が提供される。
【０００９】
バルブ内面の汚染物および／または堆積物の確実な除去を保証するために、作用物質は内面上で移動可能である。それによって、バルブまたはチューブの内面の汚染物および／または堆積物と作用物質との確実な相互作用が保証される。
【００１０】
これらの作用物質と汚染物および／または堆積物との間の確実な干渉に関して、作用物質を固形体とすることができる。具体的には、汚染物および／または堆積物を確実に除去するための作用物質を研磨剤とすることができる。
【００１１】
具体的な形態において、作用物質は、粉末または顆粒を含むことができる。それによって、特に簡単な手段が提供される。
【００１２】
その代わりに、あるいはそれに加えて、作用物質がスクラップ（粒子）、チップ（小片）またはウールを有することができる。その場合、バルブまたはチューブの適用状況によって合わせる必要がある。
【００１３】
さらに、汚染物および／または堆積物の確実な除去に関して、作用物質が溶剤を含むことができる。この場合、機械的な清掃効果の代わりに、あるいはそれに加えて、汚染物および／または堆積物を化学的に融解することができる。
【００１４】
特に、実用的な方法においては、作用物質は、常磁性であることができる。この場合、作用物質をバルブまたはチューブの外側の磁石によって、バルブまたはチューブの内面に沿って移動することができる。具体的には、バルブまたはチューブの外面に磁石を対応づけることができる。
【００１５】
バルブまたはチューブの外側の磁石の移動に関して、手動で磁石のほぼ任意の運動を行うことができる。
光源の最適な形態においては、たとえば、レール形式のバルブまたはチューブに、磁石用ガイドを設けることができる。この場合、清掃することのできる内面の領域を間接的に磁石用ガイドに沿って磁石を手動で動かすことができる。
磁石用ガイドに沿った磁石の移動は、磁石を磁石用ガイドに沿って機械的に移動させる付加的な移動装置によって行うこともできる。具体的には、磁石をロープまたはチェーンによって移動することができる。この場合、汚染物および／または堆積物に対して指定時刻に作動するほぼ自動的な除去が可能である。
【００１６】
他の形態において、汚染物および／または堆積物を少なくとも部分的に化学的および／または物理的に結合するように、作用物質を形成することができる。汚染物および／または堆積物の物理的結合に関して、作用物質と汚染物および／または堆積物との間に磁気的な相互作用を設けることができる。
汚染物および／または堆積物の結合によって、これらの汚染物および／または堆積物をバルブまたはチューブの内面から除去することにより、光源駆動を妨害することが回避される。
【００１７】
存在しているプロセスガスとの好ましくない反応を回避するために、作用物質は、コーティングすなわち塗料を有することができる。この種の塗料は、好ましくは化学的にほぼ不活性なものにでき、プロセスガスとの反応が確実に回避される。
【００１８】
塗料の永続的な安定性に関して、塗料を温度に強く、特に高温に強くすることができる。従って、フィラメントの駆動温度が高く、それに伴って作用物質への熱放射が高い場合でも、作用物質の機能と塗料が損なわれることが、ほぼ回避される。
【００１９】
作用物質から妨害ガスが発生することを阻止するために、塗料は低い蒸気圧を有することができる。それによって永続的な塗料が保証される。
【００２０】
具体的には、塗料は、セラミック、特に、確実かつ簡単なコーティングが実現される酸化物セラミックを有することができる。
【００２１】
その代わりに、あるいは、それに加えて、塗料は、金属、特に、低い蒸気圧のタンタルを有することができる。
【００２２】
バルブまたはチューブ内の作用物質および／または汚染物および／または堆積物の確実な蓄積に関して、作用物質および／または汚染物および／または堆積物は、その除去後にバルブまたはチューブの蓄積領域内に収容することができる。それによって、作用物質および／または汚染物および／または堆積物による光源駆動の妨害が回避される。
このような蓄積領域は、光源の駆動中において比較的冷たい領域である。
それによって、蒸発、または、作用物質および／または汚染物および／または堆積物と存在しているプロセスガスおよび／またはフィラメントまたは電極との間の好ましくない反応がほぼ回避される。
【００２３】
作用物質および／または汚染物および／または堆積物の特に確実な蓄積に関して、蓄積領域に作用物質および／または汚染物および／または堆積物を固定する装置を付加することができる。
このような固定するための装置は、特に簡単な方法では、磁石または接着剤を有することができる。
それによって、作用物質および／または汚染物および／または堆積物の特に確実な蓄積が実現される。
【００２４】
たとえば、炭化タンタルフィラメントを使用する場合には、堆積物として、炭素が問題となる可能性があり、その炭素はバルブまたはチューブの内面に煤付着をもたらす。
常磁性の手段として、あるいは常磁性の固形体として、鉄を用いることができる。
【００２５】
堆積物が発生したら、ばらの研磨性の固形体によって、例えば、バルブまたはチューブの外面上で磁石を移動する等によって、煤けて汚れて堆積物に覆われたバルブまたはチューブの内面上で粉末、顆粒、スクラップ（粒子）、チップ、またはウールを動かすことによって、見込まれる煤付着および／または汚染物および／または堆積物をバルブまたはチューブ内で除去することができる。
その場合に固形体は、煤および／または汚染物および／または堆積物をこすり落し、それらを部分的に結合することもできる。この清掃プロセスまたは再生プロセスの後に、利用された研磨性の固形体は、同様に、磁石または接着剤によってバルブまたはチューブ内で、たとえばバルブまたはチューブの冷たい領域内に固定することができる。
従って、利用された研磨性の固形体は、フィラメントまたは電極またはフィラメントベースまたは電気的接点と接触せず、ランプ駆動を妨害しない。
【００２６】
作用物質として用いられる鉄あるいは常磁性の物質が存在するプロセスガスとの好ましくない反応をもたらす場合には、使用される作用物質または固体粒子を、たとえば、高温に強いセラミック材料または酸化物セラミックのような化学的にほぼ不活性な物質、あるいは低い蒸気圧を有するタンタルのような金属などによって、コーティングすることができる。
【００２７】
本発明の教示を好ましい方法で実施し、展開する種々の可能性がある。
それについて、一方では特許請求の範囲における請求項に従属する請求項を、他方では図面を用いて以下で行う本発明の２つの好ましい実施例の説明を参照することができる。
図面による本発明の好ましい実施例の説明との組合わせにおいて、教示の一般的に好ましい形態と展開も説明する。
【発明を実施するための最良の形態】
【００２８】
図１は、本発明に基づく光源の第１実施例を示す概略的な側面図である。
本発明の光源は、加熱可能なフィラメント１を有しており、このフィラメント１は、バルブ２の中に配置されている。バルブ２は、内面３と外面４を有している。フィラメント１は、電気的接点５と６を介して加熱可能である。
【００２９】
光源の寿命の延長に関して、本発明の光源は、バルブ２内に内面３から汚染物および／または堆積物８を除去する作用物質７が収容されるように形成されている。
作用物質７は、内面３上を移動することができる。そのために、バルブ２が手で動かされると、作用物質７が堆積物８と接触して、この堆積物８を内面３からこすり取るようになっている。そのために、作用物質７は、研磨剤として形成されている。作用物質７は、具体的には、粉末または顆粒である。
【００３０】
図２は、本発明に基づく光源の第２実施例の概略的な側面図である。
堆積物８および／または汚染物を除去するための第２の可能性は、作用物質７が常磁性であって、図２に示す磁石９によって内面３に沿って移動可能となることである。
この場合に、汚染物および／または堆積物８を除去するために、バルブ２を動かす必要はない。
【００３１】
図１に示す光源の第１実施例も、図２に示す第２実施例も、バルブ２の蓄積領域１０を有しており、その中に作用物質７および／または汚染物および／または堆積物８が収容可能である。それによって、バルブ２内に収容されている作用物質７による、および／または汚染物および／または堆積物８による光源駆動の妨害が回避される。
その場合に、蓄積領域１０は、光源の駆動中でも比較的冷たい領域である。
【００３２】
さらに、蓄積領域１０に、作用物質７および／または汚染物および／または堆積物８を固定するための装置を付け加えることができる。
このような固定するための装置として、磁石または接着剤を含むことができ、両者は、作用物質７および／または汚染物および／または堆積物８を蓄積領域１０内に保持するために用いることができる。
【図面の簡単な説明】
【００３３】
【図１】本発明に基づく光源の第１実施例を概略的に示す側面図。
【図２】本発明に基づく光源の第２実施例を概略的に示す側面図。
【符号の説明】
【００３４】
１  ・・・  フィラメント
２  ・・・  バルブ
３  ・・・  内面
４  ・・・  外面
５  ・・・  電気的接点
６  ・・・  電気的接点
７  ・・・  作用物質
８  ・・・  堆積物
９  ・・・  磁石
１０  ・・・  蓄積領域